(57)【要約】【課題】多様なボトルの形状に対応可能な梱包箱を提供する。【解決手段】梱包箱（１０）は、ワインボトル（９００）を梱包するための箱であって、外箱（３００）と、外箱に収容されボトルの頭部を挿入するための上部穴（１０１）が設けられた上側内箱（１００）と、前記外箱に収容され、前記ボトルの底部を挿入するための下部穴（２０１、２０２）が設けられた下側内箱（２００）とを有する。【選択図】図１
2020011738.tif 000002
【特許請求の範囲】
【請求項１】
ボトルを梱包するための箱であって、
外箱と、
前記外箱に収容され、前記ボトルの頭部を挿入するための上部穴が設けられた第１の内箱体と、
前記外箱に収容され、前記ボトルの底部を挿入するための下部穴が設けられた第２の内箱体と
を有する梱包箱。
【請求項２】
前記第２の内箱体は、第１の面と当該第１の面の反対側の第２の面とを有し、前記第１の面と前記第２の面において、それぞれ、互いに異なる形状の第１の下部穴および第２の下部穴が形成され、
前記第２の内箱体の内部空間には、当該第２の内箱体の内壁に沿って配置することができるように折り曲げ可能なフラップ部材が設けられ、前記フラップ部材の折り曲げ方を異ならせることによって、前記第１の下部穴と前記第２の下部穴とを選択的に開口する、
請求項１に記載の梱包箱。
【請求項３】
前記第１の内箱体の内部には、前記ボトルが侵入できる第１の空間と、前記ボトルが侵入できない第２の空間とに仕切る仕切り部材が配置され、当該仕切り部材が前記第１の内箱体の上面内壁と接する位置に応じて、前記孔から前記仕切り部材までの距離が変化する、
請求項１または２に記載の梱包箱。
【請求項４】
前記第１の内箱体は、前記仕切り部材の上面内壁と接触するパーツが切離し可能に加工された、１枚の素材を折り曲げることによって組み立てられ、
当該パーツを分離しない状態で組み立てると前記距離は第１の値となる一方、当該パーツを分離した状態で組み立てると前記距離は第１の値よりも大きい第２の値となる、
請求項３に記載の梱包箱。
【請求項５】
前記第１の内箱体は、前記仕切り部材となるフラップ部を切り取ることができるように加工された１枚の素材を折り曲げることによって組み立てられ、
当該フラップ部が切りとられた状態で組み立てると、前記第２の空間は形成されない、
請求項３または４に記載の梱包箱。
【請求項６】
前記第２の内箱体は、変形可能な素材で構成され、
前記下部穴は、変形しない状態で前記下部穴の縁の一部にて第１の径の前記ボトルを支持し、変形した状態で、前記第１の径よりも大きい第２の径の前記ボトルを支持する、
請求項１〜５のいずれか一項に記載の梱包箱。
【請求項７】
前記第１の内箱体は変形可能な素材で構成され、
前記上部穴は、変形しない状態で前記上部穴の縁の一部にて第１の径の前記ボトルを支持し、変形した状態で、前記第１の径よりも大きい第２の径の前記ボトルを支持する、
請求項１〜６のいずれか一項に記載の梱包箱。
【請求項８】
前記外箱は１枚の素材を折り曲げることによって組み立てられ、前記外箱の上部および底部はそれぞれ前記素材が４重に重ねられる、
請求項１〜７のいずれか一項に記載の梱包箱。
【発明の詳細な説明】
【技術分野】
【０００１】
本発明は梱包箱に関する。
【背景技術】
【０００２】
物品を搬送する際に、組立て式の梱包箱が様々な場面で活用されている。
【先行技術文献】
【特許文献】
【０００３】
【特許文献１】特開２０１７-１０９７９０号公報
【発明の概要】
【発明が解決しようとする課題】
【０００４】
例えば、ワインボトルは、容量が通常のボトルサイズ（７５０ｍｌ）であっても、ワインの製造メーカーなどによって形状が異なる。例えば海外のワインや、スパークリングワインなどにその傾向が見られる。具体的には、ボトル底部の径、高さ、口部や胴部の径（太さ）に、様々なバリエーションがある。ボトルの形状に梱包箱が適合していないと、ボトルが梱包箱にきちんと支持されず、落下など外部からの衝撃に弱くなる。この結果、最悪の場合ボトルが割れる。あるいは、ボトルの自重などによって梱包箱に無理な力がかり、梱包箱が変形あるいは破損する可能性もある。よって、通常、各製造メーカーまたは小売業者などは、必要に応じて（例えば贈答用として販売する場合や輸送する場合）、ボトルの形状に応じた専用の箱（化粧箱など）を用意する。ないしは、ボトル本体に耐衝撃用の補強をほどこし、形状に適合していない箱に詰める。しかし、例えばワインの小売業者などが梱包用の箱を提供するワインボトルの形状ごとに設計することや、それぞれの形状に適合する多種の梱包箱を予め用意しておくことは、現実的でない。また、汎用の梱包箱に補強材を詰め込むとしても、手間がかかる。
本発明は、多様なボトルの形状に対応可能な梱包箱を提供する。
【課題を解決するための手段】
【０００５】
本発明は、一の態様において、ボトルを梱包するための箱であって、外箱と、前記外箱に収容され、前記ボトルの頭部を挿入するための上部穴が設けられた第１の内箱体と、前記外箱に収容され、前記ボトルの底部を挿入するための下部穴が設けられた第２の内箱体とを備える梱包箱を提供する。
【発明の効果】
【０００６】
本発明によれば、多様なボトルの形状に対応する梱包箱が提供される。
【図面の簡単な説明】
【０００７】
【図１】（ａ）は一本のワインボトル９００-１が収容された状態の外箱３００の外観斜視図、（ｂ）は上側内箱１００-２および下側内箱２００-２がセットされた状態のワインボトル９００-２の外観斜視図、（ｃ）はワインボトル９００-２にセットする前の上側内箱１００-２および下側内箱２００-２を示す図。
【図２】外箱３００の展開図。
【図３】上側内箱１００の展開図。
【図４】下側内箱２００の展開図。
【図５】（ａ）は上側内箱１００の外観斜視図、（ｂ）は、折り目Ｌ１１を切り取ってから組み立てた上側内箱１００Ｘ-Ｘ断面図。
【図６】（ａ）は、切取り線Ｌ１３を切り離さないまま組み立てたときの上側内箱１００のＸ-Ｘ断面図、（ｂ）は切取り線Ｌ１３を繰り話して組み立てたときの上側内箱１００のＸ-Ｘ断面図。
【図７】（ａ）は下部第２穴２０２が開口している状態の下側内箱２００の外観斜視図、（ｂ）は、下側内箱２００のＹ−Ｙ断面図、（ｃ）はフラップ２９０が折り曲げられる前の状態Ｙ−Ｙ断面図、（ｄ）は、フラップ２９０の折り曲げられている途中の状態Ｙ−Ｙ断面図。
【図８】（ｅ）は、フラップ２９０の折り曲げが完了した状態Ｙ−Ｙ断面図、（ｆ）は下側内箱２００を反転する前の状態を示す図、（ｇ）は反転後の状態を示す図。
【図９】外箱３００Ａの展開図。
【発明を実施するための形態】
【０００８】
１．実施例
図１（ａ）は、ワインボトル（ワインボトル９００−１および９００-２）を２本収容するためのものである梱包箱１０であって、一本のワインボトル９００-１が梱包された状態の外箱３００の外観斜視図である。なお、説明の便宜上、外箱３００の蓋を開けた状態が示されている。同図（ｂ）は、上側内箱１００-２および下側内箱２００-２がセットされた状態のワインボトル９００-２の外観斜視図である。同図（ｃ）は、ワインボトル９００-２にセットする前の上側内箱１００-２および下側内箱２００-２を示す。
【０００９】
なお、上側内箱１００-１および上側内箱１００−２は同一の部材であり、下側内箱２００-１および下側内箱２００-２は同一の部材である。以下、両者を区別する必要がない場合は、それぞれ「上側内箱１００」および「下側内箱２００」と表記する。後述するように、上側内箱１００および下側内箱２００には異なるサイズのボトルを収容する機能がある。従って、ワインボトル９００−１および９００−２は同一の形状でも異なる形状やサイズであってもよい。また、ワインボトル９００−１および９００−２を区別する必要がない場合は、単に、「ワインボトル９００」と表記する。
【００１０】
梱包箱１０は、外箱３００と、外箱３００に収容され、ワインボトル９００の頭部を挿入するための上部穴１０１が設けられた上側内箱１００と、外箱３００に収容され、ワインボトル９００の底部を挿入するための下部第１穴２０１または下部第２穴２０２が設けられた下側内箱２００とを有する。
【００１１】
梱包者は、まず、（ｂ）および（ｃ）に示すように、各ボトルについて、頭部に上側内箱１００をセットし底部に下側内箱２００をセットし、この状態で外箱３００に詰め込む。詰め込まれた状態で、上側内箱１００の上部と下側内箱２００の下部は、それぞれ外箱３００の上部の内壁と外箱３００の下部内壁に接することで固定される。換言すると、上側内箱１００および下側内箱２００は、セットで、一本のワインボトル９００を外箱３００内部で固定するための部材として機能する。
【００１２】
上側内箱１００、下側内箱２００、および外箱３００は、それぞれ１枚の素材を所定の位置で人や機械が折り曲げるあるいは切り離す（または切り取る）ことができるような加工が施されたものを組み立てることによって製造される。なお、折り等の作業を支援するための加工は省略しても構わない。また、組み立て作業を簡略化にするために一部変形や糊付けなどの加工や施しても構わない。
素材は、例えば、波状に加工した紙を表裏の紙で挟んで接着し、強度を持たせた構造である、いわゆる段ボールシートである。また、素材としては、ワインボトル９００のサイズに対応するため及び衝撃吸収効果を発揮させるため、ある程度、形状の自由度（つぶれ等の変形）が許容されることが好ましい。なお、上側内箱１００、下側内箱２００、外箱３００について、素材、断面の構造、厚みその他の特性は、同一であってもよいし異なっていてもよい。
【００１３】
図２は外箱３００の展開図（組み立てられる前の状態の図）である。破線は谷折りを、二点鎖線は山折りを意味する。
フラップ３９１は、フラップ３８１およびフラップ３８３を折込んだ状態でスリット３９２に差し込まれる。同様に、フラップ３９４は、フラップ３８２およびフラップ３８４を折込んだ状態でスリット３９３に差し込まれる。この結果、外箱３００は上部および底部が４重になる。これにより、ワインボトル９００の上部および下部から衝撃に対する強度が増す。後述するように、ワインボトル９００の側面は上側内箱１００および下側内箱２００によって支持されるため、外箱３００からの力が直接伝わりにくいものの、上部および底部については外箱３００に加えられた衝撃が伝わりやすい点を加味し、このように上部および下部の構造を強化している。
【００１４】
図３は上側内箱１００の展開図である。上側内箱１００は、下面１５１、上面１５３、側面（１５４、１５２、１５５、１５６）と、フラップ（１８１、１８３、１８４、１８５、１８６、１８７、１８８）と片１８９を介して接続された仕切り体１９０とを有する。フラップ１８８はスリット１８２に差し込まれる。なお、片を差し込むのではなく、接着材を所定位置に塗布しておき、接着面を合わせることにより箱体形状を維持する加工としてもよい。
【００１５】
下面１５１には、正方形の四隅が円弧状となっている上部穴１０１が形成される。これにより、多様なサイズの頭部（首部）のワインボトル９００を挿入および支持することができる。直径がｒ３以上のワインボトル９００であれば、上部穴１０１の縁に必ず接するので、ワインボトル９００は少なくとも上部穴１０１によって支持される。したがって、上側内箱１００は、頭部の径がｒ３以上Ｒ３以下のワインボトル９００を支持することができる。
【００１６】
加えて、上部穴１０１近傍の素材が変形することにより、Ｒ３以内の径のワインボトル９００であれば、無理なく挿入することが可能である。上部穴１０１の対角線上４か所に切れ込みを入れて置き、Ｒ３以上の径のワインボトル９００の挿入を容易にするようにしてもよい。
なお、ワインボトル９００の頭部を無理やり挿入して上部穴１０１が破損してもはや支持機能を発揮しなくなってしまうような状態にならない限りにおいて、径がＲ３以上のワインボトル９００を挿入してもよい。例えば、一般的なボトルの頭部のサイズに対応して、ｒ３＝２９ｍｍ±Δ、Ｒ３＝３４ｍｍ±Δ（Δは例えば１ｍｍ）である。
【００１７】
仕切り体１９０は、仕切り位置（高さ）を決定する片１９６と片１８９と、一対の山型形状の片１９４および片１９５、片１９２および片１９１を含む。片１９４および片１９５は、切取り線Ｌ１２に対して線対称であり、切取り線Ｌ１２によって互いに切り離されることができるような加工が施されている。例えば、切離し線上の一点のみで接合されている。切取り線Ｌ１３も切取り線Ｌ１２と同様の加工が施されて、片１９２および片１９１が切離し可能となっている。
折り目Ｌ１１において、本体から仕切り体１９０を切り取ることが容易なように、ミシン目が形成されている。
【００１８】
図４は、下側内箱２００の展開図である。下側内箱２００は、どちらかが底面または上面となる第１面２５１および第２面２５５と、側面（２５４、２５３、２５２、２５６）と、フラップ（２２０、２８２、２８３、２８４、２８６、２８５、２８９、２９０）とを有する。フラップ２２０は、フラップ２９０が箱体の内部に位置するように、スリット２２１に差し込まれる。
【００１９】
第１面２５１およびその反対側の第２面２５５には、それぞれ下部第１穴２０１および下部第２穴２０２が形成されている。下部第１穴２０１および下部第２穴２０２は、上部穴１０１と同様、正方形の四隅が円弧状（換言すると、円の４か所を直線状に切り取った形状）となっている。正方形の一片の長さをｒ、円の直径をＲとすると、Ｒ１＞ｒ１＞Ｒ２＞ｒ２である。例えば、Ｒ１、ｒ１、Ｒ２、ｒ２は、それぞれ、８９ｍｍ±Δ、８５ｍｍ±Δ、７７ｍｍ±Δ、７５ｍｍ±Δである。Δは例えば１ｍｍである。これにより、下部第１穴２０１および下部第２穴２０２は、それぞれ少なくとも底部の径がｒ１〜Ｒ１のワインボトル９００、少なくとも底部の径がｒ２〜Ｒ２のワインボトル９００を挿入・支持することができる。加えて、素材の変形を加味する、底部がＲ１およびＲ２以上の径のワインボトルを挿入・支持することができる。下部第２穴２０２がＲ２＋α（α＞ｒ１−Ｒ２）のワインボトル９００を挿入することができるとすれば、下部第１穴２０１および下部第２穴２０２のいずれかを利用することで、下側内箱２００は底部の径がｒ２〜Ｒ１+β（βは下部第１穴２０１の素材変形によって決定される値）であるすべてのワインボトルを挿入・支持することができる。また底部の径がｒ２以下であるボトルの動きを制御することができる。
【００２０】
図５〜図６を用いて、組み立てられた状態の上側内箱１００の構造について詳説する。なお、以下の断面図においては、説明に必要な部分以外は適宜捨象してある。
図５（ａ）は、上側内箱１００の外観斜視図である。図５（ｂ）は、折り目Ｌ１１で仕切り体１９０を切り取ってから組み立てた上側内箱１００のＸ-Ｘ断面図である。内部の空間Ｖ０にワインボトル９００の頭部が収容される。上部穴１０１からの距離が最大ｈ１までのワインボトル９００を収容することができる。上部穴１０１は、変形しない状態で上部穴１０１の縁の一部にて第１の径（ｒ３）のワインボトル９００を支持し、第１の径（ｒ３）以下のワインボトル９００の動きを制御する。変形した状態で、第１の径よりも大きい第２の径のワインボトル９００を支持する。またＲ３+β（βは上部穴１０１の素材変形によって決定される値）の径であるワインボトル９００を支持する。このとき、ワインボトル９００の頭部の長さがｈ１と同一ないし実質的に同一であれば、上部穴１０１に加えて上面１５３によって支持される。
【００２１】
図５および図６を用いて、折り目Ｌ１１を切り取らない状態（仕切り体１９０が存在する状態）で組み立てられた上側内箱１００の内部構造をＸ-Ｘ断面図によって説明する。片１８９および片１９６はそれぞれ１００の内壁に沿うように固定され、片１９３が内部空間において上面１５３と平行に固定される。そして、この片１９３によって、上側内箱１００の内部には、ワインボトル９００が侵入できる空間Ｖ１と侵入できない空間Ｖ２とが形成される。
【００２２】
図６（ａ）は、切取り線Ｌ１３を切り離さないまま組み立てたときの上側内箱１００のＸ-Ｘ断面図である。同図に示すように、空間Ｖ１の高さはｈ２（＜ｈ３）となる。すなわち、上部穴１０１から最大高さｈ２+β（βは片１９３の素材変形によって決定される値）までのワインボトル９００を収容することができる。片１９１（片１９４）および片１９２（片１９５）は、接合されている。上面１５３において頂点Ｐ１および頂点Ｐ２で接触し、側面において片１８９および片１９６で接触することで、片１９３が紙面下方からの力を受けても、片１８９、片１９６、頂点Ｐ１、頂点Ｐ２において、仕切り体１９０全体が支持される。よって、ワインボトル９００の上部穴１０１からの高さがワインボトル９００とほぼ等しければ、ワインボトル９００の頭部は、上部穴１０１に加えて片１９３においても支持されることになり、安定性が増す。
【００２３】
図６（ｂ）は、切取り線Ｌ１３を切り離して組み立てたときの上側内箱１００のＸ-Ｘ断面図である。
片１９１（片１９４）および片１９２（片１９５）は切り離されているので、切取り線Ｌ１３を中心として左右に移動することができる。よって、上部穴１０１からの高さがｈ２以上であるワインボトル９００が上部穴１０１から空間Ｖ１にワインボトル９００が挿入されて片１９３に突き当たると、片１９３が折れ曲がるように変形して（同時に頂点Ｐ１，頂点Ｐ２の位置がそれぞれ紙面左右方向にずれて）、上部穴１０１から片１９３までの高さは片１９３の中心部（Ｐ３）においてｈ３（＞ｈ２）となる。
【００２４】
このように、同一の上側内箱１００について、仕切り体１９０を切り取るか否か、仕切り体１９０を残して切取り線Ｌ１３を切り離す場合、仕切り体１９０を残して切取り線Ｌ１３を切り離さない場合のいずれかを選択するかに応じて、収容可能な空間の最大高さをｈ３、ｈ２、ｈ１のいずれかに設定することができる。
また、片１９１および片１９２の形状（山の高さや稜線の角度）を調整することで、実現させたいΔｈ＝ｈ３-ｈ２の値を変更することができる。
【００２５】
図７および図８を用いて、組み立てられた状態の下側内箱２００について詳説する。
下部第１穴２０１および下部第２穴２０２は、上部穴１０１と同様に、それぞれ、底部がｒ１からＲ１程度の径のワインボトル９００と、底部がｒ２からＲ２程度の径のワインボトル９００を挿入して支持することができる形状となっている。すなわち、下部第１穴２０１および下部第２穴２０２は、それぞれ、変形しない状態で縁の一部にて第１の径の前記ボトルを支持し、変形した状態で、第１の径よりも大きい第２の径の前記ボトルを支持する。さらに第２の径+β（βは第２の径の素材変形によって決定される値）であるワインボトルを支持することができ、第１の径以下であるボトルの動きを制御することができる。
【００２６】
図７（ａ）は、下部第２穴２０２が開口している状態における下側内箱２００の外観を示す。図７（ｂ）〜（ｄ）、図８（ｅ）〜（ｇ）はいずれも下側内箱２００のＹ−Ｙ断面図である。
【００２７】
図４で示したように、下側内箱２００は、第１の面（第１面２５１）と当該第１の面の反対側に位置する第２の面（第２面２５５）とを有し、第１面２５１および第２面２５５において、それぞれ、互いに異なる形状の下部第１穴２０１および下部第２穴２０２が形成される。下側内箱２００は、組み立てられた後の任意のタイミングで、下部第１穴２０１を下部第２穴２０２のどちらを使用するのか（換言すると、ワインボトル９００の底部を挿入するための開口部として機能させるか）を変更することができる。具体的には、ユーザがフラップ２９０の折り曲げ方を変更することで実現する。
【００２８】
以下、図７（ｂ）に示すように、下部第２穴２０２が開口している状態（紙面上方からワインボトル９００の底部を挿入してフラップ片２９２が底面の一部として機能する状態）から、反対側の下部第１穴２０１が開口している状態に、下側内箱２００を変形させる手順について説明する。
【００２９】
図７（ｃ）は、フラップ２９０が折り曲げられる前の状態であり、矢印は折り曲げ方向を示す。
すなわち、ユーザが下部第１穴２０１の側（紙面下方側）から指を入れ、フラップ片２９２を紙面上方向に、かつ側面２５６に接しているフラップ片２９１が紙面左方向に展開されるように、力を加える。すると、図７（ｄ）に示すように、フラップ２９０が折れ曲がった状態で、フラップ片２９３、フラップ片２９２、フラップ片２９１が下側内箱２００の内壁から離れる。そのまま力を加え続けると、図８（ｅ）のように、フラップ片２９１およびフラップ片２９２は第２面２５５に接し、フラップ片２９３は側面２５２に接した状態が実現する。このとき、下部第２穴２０２は塞がれ、下部第１穴２０１は開口する状態となる。この状態からユーザが下側内箱２００を持ち上げて紙面上下に反転させると（図８（ｆ））、図８（ｇ）に示すように、下部第１穴２０１が紙面上方からワインボトル９００を挿入する穴として機能する。
【００３０】
このように、下側内箱２００において、内部空間に、当該第２の内箱体の内壁に沿って配置することができるように折り曲げ可能なフラップ２９０が設けられ、フラップ２９０の折り曲げ方を異ならせることによって、前記第１の下部穴と前記第２の下部穴と選択的に開口させるようになっている。ユーザは内部のフラップ部材の折り曲げ方を変えるだけで、簡単にワインボトル９００の底部のサイズに適合するほうの穴を選択することができる。
【００３１】
梱包箱１０によれば、ワインボトル９００の頭部の太さの多様性については上部穴１０１の形状によって対応し、ワインボトル９００の高さの多様性は仕切り体１９０のパーツ同士の切離しまたは一部パーツの切落としの選択によって対応し、ワインボトル９００の底部の太さの多様性は穴の形状および使用する穴の選択によって対応している。
本発明者は、広く流通しているボトルのサイズは、形状のバリエーションがあるといってもおおよそ一定の範囲に収まっているという知見を得た。上述した具体的数値の例は、この知見に基づき、一般的なＢｏｕｔｅｉｌｌｅ（ブティユ；７５０ｍｌ）タイプのワインボトルに適合するものとして算出されたものである。すなわち、上記数値が適用された梱包箱１０を用意すれば、７５０ｍｌタイプのおおよそすべてのワインボトルを梱包することができる。この結果、従来のように、ワインボトルの形状ごとに異なる箱（に組み立てるために裁断された段ボール部材）を用意する必要がない。
【００３２】
２．変形例
外箱３００が収容するビンの本数は２に限られない。たとえば図９に示すように外箱３００に変えて外箱３００Ａを用いることで、一本のみ収容させることができる。この場合においても、上側内箱１００および下側内箱２００は上述したものと同一である。すなわち、外箱３００の形状は収容する本数に応じて決定すればよい。
【００３３】
梱包箱１０をワインボトル以外の収容容器に適用してもよい。すなわち、ボトルの容量、材質、形状、機能（内容物）は問わない。
また、本発明に係る梱包箱は組み立て式でなく、一部または全部が組立てられた状態で利用者に提供されてもよい。要するに、本発明に係る梱包箱は、ボトルを梱包するための箱であって、外箱と、前記外箱に収容され、前記ボトルの頭部を挿入するための上部穴が設けられた第１の内箱体と、前記外箱に収容され、前記ボトルの底部を挿入するための下部穴が設けられた第２の内箱体とを有していればよい。
【符号の説明】
【００３４】
１０・・・梱包箱、１００・・・上側内箱、２００・・・下側内箱、３００・・・外箱、９００、９００-１、９００-２・・・ワインボトル、１８１、１８３、１８４、１８５、１８６、１８７、１８８、２２０、２８２、２８３、２８４、２８５、２８６、２８９、２９０、３８１、３８２、３８３、３８４、３９１・・・フラップ、１８２、２２１、３９２、３９３・・・スリット、Ｌ１１・・・折り目、１０１・・・上部穴、Ｌ１２、Ｌ１３・・・切取り線、１９０・・・仕切り体、１８９、１９１、１９２、１９４、１９５、１９３、１９６・・・片、２０１・・・下部第１穴、２０２・・・下部第２穴、２９１、２９２、２９３・・・フラップ片、２５１・・・第１面、２５５・・・第２面、２５３、２５４、２５２、２５６・・・側面
【図１】
2020011738.tif 000003
【図２】
2020011738.tif 000004
【図３】
2020011738.tif 000005
【図４】
2020011738.tif 000006
【図５】
2020011738.tif 000007
【図６】
2020011738.tif 000008
【図７】
2020011738.tif 000009
【図８】
2020011738.tif 000010
【図９】
2020011738.tif 000011